(57)【要約】      （修正有）【課題】取手を握ってトリガー部を親指で押し下げる形態のポンプディスペンサにおいて、グリップ性が良く噴射の際、指力がトリガー部に効率よく伝わり操作に優れたトリガー式ポンプディスペンサを提供する。【解決手段】取っ手部１２を握った状態で、該取っ手部１２の上方にあるトリガー部１３を押し下げて、シリンダ部内の液体をノズル部４から噴射させるトリガー式ポンプディスペンサＡにおいて、取っ手部１２の指当接部Ｓが、トリガー部１３の力点より後方にある。【選択図】図３
2015051398.tif 000002
【特許請求の範囲】
【請求項１】
取っ手部を握った状態で、該取っ手部の上方にあるトリガー部を押し下げて、シリンダ部内の液体をノズル部から噴射させるトリガー式ポンプディスペンサにおいて、取っ手部の指当接部が、トリガー部の力点より後方にあることを特徴とするトリガー式ポンプディスペンサ。
【請求項２】
取っ手部の指当接部の傾斜角度が３度〜１０度であることを特徴とする請求項１記載のトリガー式ポンプディスペンサ。
【請求項３】
取っ手部とトリガー部の間隔が３５〜４５ｍｍであることを特徴とする請求項１又は２記載のトリガー式ポンプディスペンサ。
【請求項４】
シリンダ構造体と、該シリンダ部内に摺動自在なピストン構造体と、ノズルベース部とノズル部とキャップ部を備え、シリンダ構造体がシリンダ部とトリガー部と取っ手部とを一体に備えており、ピストン構造体がピストン部と支持部と板バネ部とを一体に備えており、トリガー部を押し下げて取っ手部に近づけることにより、ピストン部を押し下げシリンダ部内に圧を加えてノズル部を通して液を吐出させる請求項１記載のトリガー式ポンプディスペンサ。
【請求項５】
容器に設けられた取っ手部を握った状態で、該取っ手部の上方にあるトリガー部を押し下げて、シリンダ部内の液体をノズル部から噴射させる容器付きのトリガー式ポンプディスペンサにおいて、取っ手部の指当接部が、トリガー部の力点より後方にあることを特徴とするトリガー式ポンプディスペンサ。
【請求項６】
取っ手部の指当接部の傾斜角度が３度〜１０度であることを特徴とする請求項５記載のトリガー式ポンプディスペンサ。
【請求項７】
シリンダ構造体と、該シリンダ部内に摺動自在なピストン構造体と、ノズルベース部とノズル部とキャップ部を備え、シリンダ構造体がシリンダ部とトリガー部とを一体に備えており、ピストン構造体がピストン部と支持部と板バネ部とを一体に備えており、トリガー部を押し下げて取っ手部に近づけることにより、ピストン部を押し下げシリンダ部内に圧を加えてノズル部を通して液を吐出させる請求項５記載のトリガー式ポンプディスペンサ。
【発明の詳細な説明】
【技術分野】
【０００１】
本発明は、容器に取り付けて中に収容された液を効率よく噴射させるためのポンプディスペンサに関し、さらに詳しくは、握り易く、且つ効率良く指力をトリガー部に伝えることができるトリガー式ポンプディスペンサに関する。
【背景技術】
【０００２】
現在、容器に取り付けて内部の液を吐出或いは噴射させる器具としてポンプディスペンサが広く使用されている。
ポンプディスペンサは、通常、ピストン及びシリンダを備えており、ピストンを移動させることでシリンダ内に圧が加わり液が噴射されるものである。
このポンプディスペンサはピストンの動かし方によりタイプが分かれており、その一つとして、例えば、４本の指でトリガーを引き込む形式のトリガー式ポンプディスペンサがある。（特許文献１、特許文献２参照）。
【０００３】
これらのトリガー式ポンプディスペンサの前方にはトリガーに相当する作動レバーが設けられており、これを手で握り込んで手前に移動させると、それに連動して左右方向に配置されたピストンが移動し、シリンダ内の液圧が高まる。
その結果、ノズルから液が勢いよく噴射される。
【先行技術文献】
【特許文献】
【０００４】
【特許文献１】特開２００８―２２９４４５号公報
【特許文献２】特開２０１２−１７６３７９号公報
【特許文献３】特開２０１０−１８４１８２号公報
【発明の概要】
【発明が解決しようとする課題】
【０００５】
ところで、上記のようなトリガー式ポンプディスペンサにおいては、トリガーを引き込む場合、トリガー式ポンプディスペンサの周囲全体を手の平で握り、且つ指を使ってトリガーを横方向に引き込まなければならない。
そのため手の小さい子供、握力、指力の落ちた身障者等が扱う際には、トリガーを握る状態が浅くなり、力を入れ難くなる。
また４本（或いは人によっては、２、３本）の指を使って全体で握るため、ポンプディスペンサ本体の周囲に液剤等が付着している場合は、それが手に付着し汚れる欠点がある。
特にノズルの真下に位置する指は汚れ易い。
【０００６】
このような問題を解決するために、本発明者は、トリガーの真下に取っ手を設けることで、トリガーと取っ手とを同時に握れてトリガーを下方に押し下げる構造のトリガー式ポンプディスペンサを開発した（特許文献３参照）。
【０００７】
このトリガー式ポンプディスペンサは、後ろにある取っ手部を４本の指で支え、トリガーに親指を添えて押し下げる操作を行うもので、親指が上方に延びる状態で使用できるため操作性に優れている。
そのため子供等にも簡便に扱うことができ極めて有用性のあるものである。
しかし人間工学から見て、グリップ性の観点から更に使い易いものが望まれている、
【０００８】
本発明は、かかる背景技術をもとになされたもので、上記の背景技術の問題点を克服するためになされたものである。
すなわち、本発明は、取っ手部を握ってトリガー部を親指で押し下げる形態のポンプディスペンサにおいて、グリップ性が良く噴射の際、指力がトリガー部に効率よく伝わり操作に優れたトリガー式ポンプディスペンサを提供することを目的とする。
【課題を解決するための手段】
【０００９】
本発明者は、このような課題背景に対して鋭意研究を重ねた結果、トリガー部と取っ手部の形状及びそれら相互の位置関係に着目することで、より操作性を向上させることができる点を見出し、この知見に基づいて本発明を完成させたものである。
【００１０】
本発明は、（１）、取っ手部を握った状態で、該取っ手部の上方にあるトリガー部を押し下げて、シリンダ部内の液体をノズル部から噴射させるトリガー式ポンプディスペンサにおいて、取っ手部の指当接部が、トリガー部の力点より後方にあるトリガー式ポンプディスペンサに存する。
【００１１】
本発明は、（２）、取っ手部の指当接部の傾斜角度が３度〜１０度である上記（１）記載のトリガー式ポンプディスペンサに存する。
【００１２】
本発明は、（３）、取っ手部とトリガー部の間隔が３５〜４５ｍｍである上記（１）又は（２）記載のトリガー式ポンプディスペンサに存する。
【００１３】
本発明は、（４）、シリンダ構造体と、該シリンダ部内に摺動自在なピストン構造体と、ノズルベース部とノズル部とキャップ部を備え、シリンダ構造体がシリンダ部とトリガー部と取っ手部とを一体に備えており、ピストン構造体がピストン部と支持部と板バネ部とを一体に備えており、トリガー部を押し下げて取っ手部に近づけることにより、ピストン部を押し下げシリンダ部内に圧を加えてノズル部を通して液を吐出させる上記（１）記載のトリガー式ポンプディスペンサに存する。
【００１４】
本発明は、（５）、容器に設けられた取っ手部を握った状態で、該取っ手部の上方にあるトリガー部を押し下げて、シリンダ部内の液体をノズル部から噴射させる容器付きのトリガー式ポンプディスペンサにおいて、取っ手部の指当接部が、トリガー部の力点より後方にあるトリガー式ポンプディスペンサに存する。
【００１５】
本発明は、（６）、取っ手部の指当接部の傾斜角度が３度〜１０度である上記（５）記載のトリガー式ポンプディスペンサに存する。
【００１６】
本発明は、（７）、シリンダ構造体と、該シリンダ部内に摺動自在なピストン構造体と、ノズルベース部とノズル部とキャップ部を備え、シリンダ構造体がシリンダ部とトリガー部とを一体に備えており、ピストン構造体がピストン部と支持部と板バネ部とを一体に備えており、トリガー部を押し下げて取っ手部に近づけることにより、ピストン部を押し下げシリンダ部内に圧を加えてノズル部を通して液を吐出させる上記（５）記載のトリガー式ポンプディスペンサに存する。
【００１７】
なお、本発明の目的に添ったものであれば、上記（１）から（７）を適宜組み合わせた構成も採用可能である。
【発明の効果】
【００１８】
本発明は、取っ手部を握った状態で、該取っ手部の上方にあるトリガー部を押し下げて、シリンダ部内の液体をノズル部から噴射するトリガー式ポンプディスペンサであり、取っ手部の指当接部が、トリガー部の力点より後方にあるので、握り易く保持性が高く、操作性に優れている。
そのため、容器の荷重の重いトリガー式ポンプディスペンサにも適用することができる。
【図面の簡単な説明】
【００１９】
【図１】図１は、本発明のトリガー式ポンプディスペンサを示す斜視図を示す。
【図２】図２は、本発明のトリガー式ポンプディスペンサを示す側面図を示す。
【図３】図３は、本発明のトリガー式ポンプディスペンサのトリガー部を押し下げる前の状態を示す断面図である。
【図４】図４は、本発明のトリガー式ポンプディスペンサを握った状態を説明する図を示す。
【図５】図５は、本発明のトリガー式ポンプディスペンサのトリガー部を押し下げた後の状態を示す断面図である。
【図６】図６は、実験１のパネリングテストを行ったトリガー式ポンプディスペンサを示す。
【図７】図７は、実験１の結果を示す図である。
【図８】図８は実験２のパネリングテストを行ったトリガー式ポンプディスペンサを示す図である。
【図９】図９は、実験２の結果を示す図である。
【図１０】図１０は、トリガー式ポンプディスペンサを容器の口部に取り付ける前の状態にある容器付きのトリガー式ポンプディスペンサを示す図である。
【図１１】図１１は、トリガー式ポンプディスペンサを容器の口部に取り付けた後の状態にある容器付きのトリガー式ポンプディスペンサを示す図である。
【図１２】また図１２は、容器に取り付けるトリガー式ポンプディスペンサの斜視図を示す図である。
【図１３】図１３は、容器に取り付けるトリガー式ポンプディスペンサの断面図を示す図である。
【発明を実施するための形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
（第１の実施の形態）
本発明のトリガー式ポンプディスペンサＡは、取っ手部１２を握って、トリガー部１３を指を使って下に押し下げる（すなわち引き下げる）ことで、ピストン部２１を下降させて、液に圧縮力を与えてノズル部４から噴射させる構造である。
【００２２】
図１は、本発明のトリガー式ポンプディスペンサを示す斜視図であり、また、図２は、本発明のポンプディスペンサを示す側面図である。
また、図３は、本発明のトリガー式ポンプディスペンサのトリガー部を押し下げる前の状態を示す断面図である。
本発明のトリガー式ポンプディスペンサＡは、シリンダ構造体１とピストン構造体２とノズルベース部３とノズル部４とキャップ部５とを備える。
シリンダ構造体１は、シリンダ部１１と取っ手部１２とトリガー部１３とを一体に備えてなるもので、カバー（いわゆるハウジング）を兼ねており、またピストン構造体２は、ピストン部２１と支持部２２と板バネ部２３とを一体に備えてなる。
ノズルベース部３は、ピストン構造体２に取り付けられ、該ノズルベース部３には、ノズル部４が取り付けられる。
【００２３】
一方、トリガー式ポンプディスペンサＡは液流路を開閉するために２つのバルブを備え、その１つは下方に位置するファーストバルブＦＶであり、他の一つは、それより上方に位置するセカンドバルブＳＶである。
なお、ここでは蓄圧バルブを使用している。
【００２４】
（シリンダ構造体）
まず、シリンダ構造体１について説明する。
シリンダ構造体１は、ピストン部２１を中で摺動させるためのシリンダ部１１と該シリンダ部１１から後方に延出する取っ手部１２を備える。
そしてシリンダ部１１の前端部から上方に起立した立壁部１１Ａには、トリガー部１３が薄肉部１３Ｂを介して延びている。
そのため、薄肉部１３Ｂがいわゆる「ヒンジ部」となってトリガー部１３は自在に回動することができる。
【００２５】
トリガー部１３の後端部の一定領域は親指当て部１３Ａとなっており、この親指当て部１３Ａに親指を当てて押し下げる場合、親指当て部１３Ａの中央位置が力点Ｐ３となる。
このトリガー部１３は、断面略コの字に形成されており、下方が開放されているため、取っ手部１２の周囲を少なくとも一部覆うことができる。
そしてトリガー部１３は、後述するピストン構造体２の上の部分を覆うこともできることからカバー（いわゆるハウジング）の役割を兼ねている。
このような構造なので、立壁部１１Ａの位置を後方に設定することにより薄肉部１３Ｂの位置を後方に設定することができる。
【００２６】
このことは、薄肉部であるヒンジ部１３Ｂ（支点Ｐ１）から親指当て部１３Ａ（力点Ｐ３）までの距離Ｌ１を十分とれない場合でも、ヒンジ部１３Ｂ（支点Ｐ１）から作用点Ｐ２までの距離を極力短くすることでテコ比が大きくとれる利点がある。
【００２７】
一方、シリンダ部１１は、異なる径を有する多段筒状の形に形成されており、上方にリブが付いた大径部１１１とその下の小径部１１２とよりなる。
なお、大径部１１１は、中間位置で縮径されている。
このシリンダ部１１の大径部１１１の中をピストン構造体２１が上下に摺動する。
シリンダ構造体１に一体に備わった取っ手部１２は、Ｌ字状に下方に延びており、その形成場所はトリガー部１３と同じ側でトリガー部１３の真下の位置にある。
【００２８】
この取っ手部１２は、断面略コの字に形成され下方が開放されているので、その側壁によりピストン構造体２の上部の一部領域を覆うことができる。
取っ手部１２は、液を噴射の際、トリガー部１３と協働して液を効率よく噴射できる位置にあるが、この点については後述する。
【００２９】
本発明のトリガー式ポンプディスペンサＡとしては、取っ手部１２を握った際に親指を立てながら、トリガー部１３の上に、詳しくは親指当て部１３Ａに、置くことが可能となり、トリガー部１３を引き込む場合においては、取っ手部１２に４本（或いは人によっては３本）の指を引っ掛けて握った状態で親指を下方に単に押し下げるだけでよい。
トリガー式ポンプディスペンサＡ全体を握る必要はなく、取っ手部１２があるためトリガー部１３を取っ手部１２を利用して容易に操作でき、手の小さい子供等も簡単に扱うことができる。
【００３０】
トリガー部１３は、薄肉部１３Ｂ（支点Ｐ１）を起点に押し下げて回動させた場合、それが取っ手部１２の一部に当接することにより停止される。
また、トリガー部１３は、復帰のため上方へ回動するが、シリンダ構造体１から上方に延びた立壁部１１Ａに対してトリガー部１３から下方に延びた掛止部１３Ｃが掛合するため、トリガー部１３の上方への回動はそこで阻止される(上死点)。  
【００３１】
（ピストン構造体）
次にピストン構造体２について説明する。
ピストン構造体２は、シリンダ部内を摺動するためのピストン部２１と該ピストン部２１の上方に延出する支持部２２と該支持部２２から後方に長く延出する板バネ部２３とを一体に備えてなる。
【００３２】
また、支持部２２は前方に突出する突出通路部２２Ａを備えており、該突出通路部２２Ａには、ノズルベース部３が外挿して取り付けられている。
また、該ノズルベース部３には、ノズル部４（ノズルキャップを兼ねる）が取り付けられる。
支持部２２は、その頂面が前述したトリガー部１３の下面に当接しており、作用点Ｐ２となっている。
したがってトリガー部１３を下方に回動させると支持部２２、すなわち  ピストン構造体２が下降する。  
【００３３】
このピストン構造体２のピストン部２１の中には、バルブケースＶＣが装着されており、該バルブケースＶＣにはセカンドバルブＳＶが装着されている。
また、バルブケースＶＣには横孔が形成されている。
セカンドバルブＳＶの上端の弁体は、支持部の下方に形成された弁座２２Ｂに通常は当接している。
このような構造により、セカンドバルブＳＶは蓄圧バルブの機能を発揮することができる。
【００３４】
なおバルブケースＶＣ（セカンドバルブＳＶを備えている状態）は、ピストン部２の中に下方から強く圧入するだけで簡単にピストン部２に取り付けられる。
ここでセカンドバルブＳＶは弁部とばね部を有する構造であるが、詳しい説明は省略する。
【００３５】
一方、キャップ５は、ポンプディスペンサＡを容器Ｂに取り付けるためのものであり、例えば螺合等により容器Ｂに取り付けられる。
キャップ５の上端部には内向きに掛止部が形成されており、シリンダ構造体１にはその掛止部に掛合されるリブが形成されている。
【００３６】
次に、トリガー式ポンプディスペンサＡの作動について述べる。
図４は、本発明のトリガー式ポンプディスペンサを握った状態を説明する図であり、図５は、本発明のトリガー式ポンプディスペンサのトリガー部を押し下げた後の断面図である。
図４に示すように、取っ手部１２とトリガー部１３とを握って、トリガー部１３を下方に押し下げると、それに伴ってピストン部２１も下方に移動し、シリンダ部内の液圧が高まる。
【００３７】
シリンダ部内の液圧が高まると、セカンドバルブＳＶが開き（ファーストバルブＦＶは閉じている）、シリンダ部１１が突出通路部２２Ａ、ノズルベース部３を介してノズル部４へ連通する。
そのため、液がシリンダ部１１から突出通路部２２Ａ、ノズルベース部３へと流出し、ノズル部４のノズル口から吐出される。  
この場合、ピストン部２１が下方に移動するとノズル口が下がるが、トリガー部１３の下方への動きと一致するため的を定め易い。
【００３８】
なお、トリガー部１３は押し下げられてその図示しない一部が取っ手部１２に当接して止まるが、この位置がトリガー部１３の下死点である。
【００３９】
また、手を放してトリガー部１３からの押圧力を開放すると、セカンドバルブＳＶが閉じた状態で、板バネ部２３の復帰力によりピストン部２１が上昇して元の位置に戻ろうとする。
【００４０】
そのためシリンダ部内の圧が低下し、ファーストバルブＦＶが開き（この時、セカンドバルブＳＶは閉じている）、容器本体内の液が吸い上げられてシリンダ部内に入ってくる。
トリガー部１３の上方への復帰は、このピストン構造体２に一体に備わった板バネ部２３のバネ力により行われる。
【００４１】
この板バネ部２３によって、トリガー部１３には常に上向きの付勢力が加わり、トリガー部１３に親指を掛けて押し下げても、親指を外せばトリガー部１３は元の位置に自然に戻るのである。
ここで先述したシリンダ構造体１の掛止部１１Ｂに対してトリガー部１３の掛止部１３Ｃが掛合するためトリガー部１３の上方への回動は阻止される（上死点）。
【００４２】
上述したようにトリガー部１３は下死点では、取っ手部１２の側壁を覆った状態になる〔図２参照〕。
そのためトリガー部１３は、その側壁が動きの過程で取っ手部１２の側壁に沿って上下移動するため、横方向に振れることがなく、安定した動きができる。
なお、容器本体内の液が減少するために容器本体内が負圧となり容器に凹み等が生じるが、トリガー式ポンプディスペンサＡにはこれを解消するための図示しない負圧解消手段が備わっている。
【００４３】
先述したように、本発明のトリガー式ポンプディスペンサＡにおいては、取っ手部１２がトリガー部１３の下に位置しているので、液を噴射するためトリガー部１３を引き込む場合、ポンプディスペンサ全体を握る必要はない。
【００４４】
図４に示したように、取っ手部１２に４本（或いは人によっては３本）の指を引っ掛けた状態で親指をトリガー部１３の親指当て部１３Ａの上に添えて、これを単に下方に押し下げるだけでよい。
そのため手の小さい子供等も簡単に扱うことができる。
更にポンプディスペンサ自体に液剤が付着している場合にも、手がポンプディスペンサ本体より離れているため汚れない。
【００４５】
（特徴１）
取っ手部１２及びトリガー部１３については、上述したが、更に、両者の位置関係について述べることとする。
本発明の取っ手部１２においては、握る人の指が当接する部分（「指当接部Ｓ」という）が、前方に傾斜している。
【００４６】
このように指当接部Ｓが前方に傾斜していることによって、取っ手部１２を握って指を当てた状態では、親指も前方に傾くこととなる。
【００４７】
親指が前方へ傾くことでトリガー部１３に容易に親指を掛けることができ、また同時にトリガー部１３を引き込み易くなる。
更に、取っ手部１２を握った場合、その指当接部Ｓの傾斜面により、分力が発生してトリガー式ポンプディスペンサＡの重力が分散するために支え易くなる。
このようなことから、トリガー式ポンプディスペンサＡを含む容器全体の重さを支えるのに効果的である。
上記の点の妥当性の実験は後述する。
【００４８】
（特徴２）
また本発明では、指当接部Ｓは、その全てがトリガー部１２の力点Ｐ３の後方(外側)に位置している。
指当接部Ｓが力点Ｐ３の後方(外側)に位置していることにより、握って、親指を親指当て部１３Ａに当てた場合に、親指が前方に傾いた状態となり、本来の親指の曲げる方向に押す操作が容易に行える。
従って指の使い方に無理が生じなく、効率的な指力の伝達ができる。
尚、親指当て部１３Ａには、多数の横方向の線状突起が形成されており、親指を引き込んだ場合に、極めて有効に力が伝達される。
【００４９】
すなわち、具体的には、取っ手部１２を握って親指を立てた状態から前方に傾斜させてトリガー部の親指当て部１３Ａ（力点Ｐ３）に当てる。
なお、この親指当て部１３Ａはトリガー部１３の後端部の一部の領域であり、丁度、親指の腹が当たる部分でもある。
いわゆる、力点Ｐ３は、この親指当て部１３Ａの中間位置に相当するものといえる。
そのまま、親指の曲がる方向に親指を押し下げてトリガー部１３を押し下げれば良い。
【００５０】
因みに、指当接部Ｓがトリガー部１３の力点Ｐ３の前方(内側)に位置していると、取っ手部１２を握った状態で親指を真上より後方に立てて親指当て部１３Ａに引っ掛けなければならない。
トリガー部１３に引っ掛けるには、このように第１段階で、本来の親指の曲がる方向とは、逆方向に反らさなければならず、関節の機能から見て指に無理が生じるのである。
次の第２段階でトリガー部１３を引き込む際においても、親指を反らした状態のまま押し下げるようになるため、引き込みの操作も行い難い。
なお通常、トリガー部１３と取っ手部１２の間隔Ｌは、取っ手部１２を握ってトリガー部１３に親指を当接した場合のグリップ安定性の観点から、３５ｍｍ〜４５ｍｍが好ましい。
【００５１】
（実験例１）
上記特徴１の実験例として、取っ手部１２の指当接部Ｓの前方への傾斜角度θを変えて実験を行った。
【００５２】
図６に示すようなトリガー式ポンプディスペンサＡにおいて、指当接部Ｓの傾斜角度θを変えてパネリングテストを行った。
任意に選んだ標準体型の一般成人男女を４３人に対し、指当接部Ｓの傾斜角度を１度、２度、３度、４度、５度、６度、７度、８度、９度、１０度、１１度、１２度と変えてその操作性を見た。
なお、他の寸法は、図示するとおりである。
評価については、トリガー部を押し下げる際に、操作がし易い（◎）、操作がややし易い（○）、どちらとも言えない（△）、操作がややし難い（□）、操作がし難い（×）の５段階評価を行った。
【００５３】
図７の結果が示すように、指当接部Ｓの傾斜部の傾斜θは３度〜１０度の範囲であることが操作性の観点で優れていることが分かった。
なお、本体の寸法を変えて同様な実験を行ったが、同じような傾向を示した。
【００５４】
（実験例２）
図８の（Ａ），（Ｂ），（Ｃ）に示すようなトリガー式ポンプディスペンサＡにおいて、その操作性の実験を行った。
なお、寸法は図６に示すとおりであり、指当接部Ｓの傾斜角度θは５度のものを採用し、（Ａ），（Ｂ），（Ｃ）で取っ手部の位置が異なっている。
任意に選んだ標準体型の一般成人男女を４３人に対し、（Ａ），（Ｂ），（Ｃ）の各ケースにおけるパネリングテストを行った。
各自が握りながら親指でトリガー部１３を押し下げる操作を行い、（Ａ），（Ｂ），（Ｃ）の各ケースにおける評価をした。
評価は、トリガー部１３を押し下げる際に、操作がし易い（◎）、操作がややし易い（○）、どちらとも言えない（△）、操作がややし難い（□）、操作がし難い（×）の５段階評価を行った。
【００５５】
図９の結果が示すように、指当接部Ｓの全てがトリガー部１３の力点Ｐの後方(外側)に位置している場合（Ａ）が、操作性に優れていることが分かった。
【００５６】
以上説明してきた第１の実施の形態では、取っ手部１２がトリガー式ポンプディスペンサＡに設けられている例であるが、取っ手部１２は、別の部材である容器Ｂに設けることも可能である。
すなわち、前述した第１の実施の形態と同じように、取っ手部１２Ａとトリガー部１３の配設関係，及び取っ手部１２Ａにある指当接部Ｓの傾斜角度の妥当性は、次に述べる第２の実施の形態においても適用可能である。
【００５７】
（第２の実施の形態）
図１０は、トリガー式ポンプディスペンサＡを容器Ｂの口部に取り付ける前の状態にある容器付きのトリガー式ポンプディスペンサＡ１を示す。
図１１は、トリガー式ポンプディスペンサＡを容器Ｂの口部に取り付けた後の状態にある容器付きのトリガー式ポンプディスペンサＡ１を示す。
また図１２は、容器に取り付けるトリガー式ポンプディスペンサＡの斜視図を示す。
図１３は、容器に取り付けるトリガー式ポンプディスペンサＡの断面図を示す。
【００５８】
この実施の形態は、容器Ｂに設けられた取っ手部１２Ａを握った状態で、該取っ手部１２Ａの上方にあるトリガー部１３を押し下げて、シリンダ部内の液体をノズル部４から噴射させるものである。
この容器付きのトリガー式ポンプディスペンサＡ１は、シリンダ構造体１と、該シリンダ部内に摺動自在なピストン構造体２と、ノズルベース部３とノズル部４とキャップ部５を備えている。
【００５９】
シリンダ構造体１はシリンダ部１１とトリガー部１３とを一体に備えており、ピストン構造体２がピストン部２１と支持部２２と板バネ部２３とを一体に備えている。
因みに、前述した第１の実施の形態のトリガー式ポンプディスペンサＡは、シリンダ構造体１に更に取っ手部が一体化されているものである。
トリガー部１３を押し下げて取っ手部１２Ａに近づけることにより、ピストン部２１を押し下げシリンダ部内に圧を加えてノズル部４を通して液を吐出させる。
【００６０】
（特徴１）
この容器付きのトリガー式ポンプディスペンサＡ１の取っ手部１２Ａにおいても、握る人の指が当接する部分（「指当接部Ｓ」という）は、前方に傾斜している（図１１の傾斜角度θ参照）。
そのため取っ手部１２Ａを握って指を当てた状態では、必然的に親指も前方に傾くこととなり、トリガー部１３に容易に親指を掛けることができ、また同時にトリガー部１３を引き込み易くなる。また容器Ｂも含めて全体に重量を支え易くなる。
【００６１】
（特徴２）
この容器付きのトリガー式ポンプディスペンサＡ１でも、容器Ｂに設けた取っ手部１２の指当接部Ｓは、その全てがトリガー式ポンプディスペンサＡに設けたトリガー部１２の力点Ｐ３の後方(外側)に位置している。
そのため握って、親指を親指当て部１３Ａに当てた場合に、親指が前方に傾いた状態となり、本来の親指の曲げる方向に押す操作が可能である。
従って指の使い方に無理が生じなく、効率的な指力の伝達ができる。
この容器付きのトリガー式ポンプディスペンサＡ１においても、前述した第１の実施の形態と同様な実験を行って、上記特徴点１及び特徴点２の検証を行った。
【００６２】
その結果、同じような評価結果が得られた。
すなわち、指当接部Ｓの傾斜部の傾斜θは３度〜１０度の範囲であることが操作性の観点で優れていること、及び指当接部Ｓの全てがトリガー部１３の力点Ｐの後方(外側)に位置している場合（Ａ）が、操作性に優れていること、が分かった。
なお通常、トリガー部１３と容器Ｂに設けられた取っ手部１２との間隔Ｌは、取っ手部１２を握ってトリガー部１３に親指を当接した場合のグリップ安定性の観点から、３５ｍｍ〜４５ｍｍが好ましいことも前述の第１の実施の形態と同じである。
【００６３】
以上、本発明をその一実施形態を例に説明したが、本発明は上述した実施形態のみに限定されるものではなく、種々の変形が可能である。
蓄圧式のものに限らず適応ができ、また、ノズル部の先端に公知のオリフィスやフォーマーを取り付けることで、液を霧状や泡状にして吐出させることも選択可能である。
【００６４】
また、このトリガー式ポンプディスペンサにおいて使用する液としては、例えば、化粧品、液体洗剤、洗濯助剤、柔軟剤、シャンプー、ボディソープ、食器用洗剤等の収納容器に用いることが可能である。
【産業上の利用可能性】
【００６５】
本発明は、ピストン部の揺れ動きがなく摺動抵抗の少ないトリガー式ポンプディスペンサであり、また手の小さい人にも簡便に扱うことができるトリガー式ポンプディスペンサである。
そのため、例えば当該発明の流体噴射原理を使用するものであれば、塗装用としての工業全般、或いは医療用器具等の分野に適用が可能である。
【符号の説明】
【００６６】
１・・・シリンダ構造体
１１・・・シリンダ部
１１Ａ・・・立壁部
１１Ｂ・・・掛止部
１１１・・・大径部
１１２・・・小径部
１２・・・取っ手部
１２Ａ・・・取っ手部
１３・・トリガー部
１３Ａ・・・親指当て部
１３Ｂ・・・薄肉部（ヒンジ部）
１３Ｃ・・・掛止部
２・・・ピストン構造体
２１・・・ピストン部
２２・・・支持部
２２Ａ・・・突出通路部
２２Ｂ・・・弁座
２３・・・板バネ部
３・・・ノズルベース部
４・・・ノズル部
５・・・キャップ部
Ａ・・・トリガー式ポンプディスペンサ
Ａ１・・・容器付きトリガー式ポンプディスペンサ
Ｂ・・・容器
Ｓ・・・指当接部
ＦＶ・・・ファーストバルブ
ＳＶ・・・セカンドバルブ
ＶＣ・・・バルブケース
Ｐ１・・・支点
Ｐ２・・・作用点
Ｐ３・・・力点
【図１】
2015051398.tif 000003
【図２】
2015051398.tif 000004
【図３】
2015051398.tif 000005
【図４】
2015051398.tif 000006
【図５】
2015051398.tif 000007
【図６】
2015051398.tif 000008
【図７】
2015051398.tif 000009
【図８】
2015051398.tif 000010
【図９】
2015051398.tif 000011
【図１０】
2015051398.tif 000012
【図１１】
2015051398.tif 000013
【図１２】
2015051398.tif 000014
【図１３】
2015051398.tif 000015